(57)【要約】【課題】直下型の照明装置において、輝度の均一化を図る。【解決手段】上記の照明装置は、いわゆる直下型の照明装置であり、平面的に配列された複数の光源と、複数の光源からの光を反射する複数の側板と、を備え、複数の光源は、第１の方向に沿って配置されてなる複数の第１の光源と、第１の方向と交差する第２の方向に沿って配置されてなる複数の第２の光源と、を含む。第２の側板と、第１の光源のうち第２の側板に隣接する１の光源との間の第１の距離は、第１の側板と第２の光源のうち第１の側板に隣接する１の光源との間の第２の距離と異なる。これにより、側板における光の反射による輝度の上昇量を、第１の方向と第２の方向とで異ならせることができ、輝度の均一化を図ることが可能となるとともに、光源からの光のうち側板に反射する光を効率よく利用することで、低消費電力でありながら輝度の向上を図ることも可能となる。【選択図】図２
2010040409.tif 000002
【特許請求の範囲】
【請求項１】
平面的に配列された複数の光源と、
前記複数の光源からの光を反射する複数の側板と、を備え、
前記複数の光源は、第１の方向に沿って配置されてなる複数の第１の光源と、前記第１の方向と交差する第２の方向に沿って配置されてなる複数の第２の光源と、を含み、
前記複数の側板は、前記第１の方向に沿って配置される第１の側板と、前記第２の方向に沿って配置される第２の側板と、を含み、
前記第２の側板と、前記第１の光源のうち前記第２の側板に隣接する１の光源との間の第１の距離は、前記第１の側板と前記第２の光源のうち前記第１の側板に隣接する１の光源との間の第２の距離と異なることを特徴とする照明装置。
【請求項２】
前記第１の光源は、前記第１の方向に沿って第１の間隔で配置されるとともに、前記第２の光源は、前記第２の方向に沿って前記第１の方向の配置間隔よりも短い第２の間隔で配置され、
前記第１の距離は、前記第２の距離よりも短いことを特徴とする請求項１に記載の照明装置。
【請求項３】
前記第１の光源及び前記第２の光源は、前記第１及び第２の方向に沿ってそれぞれの端部に向かうほど配置間隔が短くなるように配置されるとともに、前記第２の方向の最短の配置間隔は、前記第１の方向の最短の配置間隔よりも短い間隔に設定され、
前記第１の距離は、前記第２の距離よりも短いことを特徴とする請求項１に記載の照明装置。
【請求項４】
前記第１の光源は、前記第１の方向に沿って等間隔に配置されるとともに、前記第２の光源は、前記第２の方向に沿って前記第１の方向の配置間隔と同じ間隔で等間隔に配置されており、前記第１の方向における光源の配列数が、前記第２の方向における光源の配列数よりも多くなるように配置され、
前記第２の距離は、前記第１の距離よりも短いことを特徴とする請求項１に記載の照明装置。
【請求項５】
一対の基板間に電気光学層を挟持してなる電気光学パネルと、前記電気光学パネルの一方の面側に配置された請求項１乃至４のいずれか一項に記載の照明装置と、を備えることを特徴とする電気光学装置。
【請求項６】
請求項５に記載の電気光学装置を表示部として備えることを特徴とする電子機器。
【発明の詳細な説明】
【技術分野】
【０００１】
本発明は、電気光学装置に用いて好適な直下型の照明装置に関する。
【背景技術】
【０００２】
現在、携帯電話機、携帯情報端末機、コンピュータディスプレイなどの電子機器において、映像を表示するために電気光学装置の一例としての液晶装置が広く用いられている。
【０００３】
このような液晶装置では、液晶表示パネルを背面側から照明して透過表示を行うために、その液晶表示パネルの背面側にバックライト装置（照明装置）が設けられる。かかる照明装置は、液晶表示パネル等に対する光源の配置位置によって、エッジライト方式と直下型方式の２つの方式に大別される。
【０００４】
エッジライト方式は、液晶表示パネルの背面側に光を導く導光板を配し、その導光板の側面部に光源を配置する方式であり、低消費電力化及び薄型化を図れるため、小型〜中型の液晶装置に好適に用いられている。一方、直下型方式は、液晶表示パネルの背面側に光源を配置する方式であり、高い輝度を得られるため、中型〜大型の液晶装置に好適に用いられている。
【０００５】
ところで、直下型方式では、光源として蛍光管から白色光を出射する冷陰極管（ＣＣＦＬ：Ｃｏｌｄ  Ｃａｔｈｏｄｅ  Ｆｌｕｏｒｅｓｃｅｎｔ  Ｌａｍｐ）等の蛍光ランプが一般に用いられているが、ＣＣＦＬが蛍光管内に水銀を封入することで環境に悪影響を及ぼすこともあり、ＣＣＦＬに代わる適宜の光源として、高輝度特性、低電力消費特性或いは長寿命特性等を有する発光ダイオード（ＬＥＤ：Ｌｉｇｈｔ  Ｅｍｉｔｔｉｎｇ  Ｄｉｏｄｅ）が用いられるようになってきている。ところが、このような発光ダイオードを用いた直下型方式では、発光ダイオードから出射される光が指向性を有するために、輝度の均一性を図ることが難しいといった課題がある。
【０００６】
なお、特許文献１に記載のバックライト装置は、複数の発光素子を列状に配置した複数の発光素子列をバックライト筐体内部に平行に配置し、発光素子列の端部の発光素子とバックライト筐体の側板との距離を、隣り合う発光素子列において異ならせることにより、バックライトの色ムラを少なくしている。
【０００７】
【特許文献１】特開２００６−３０１２０９号公報
【発明の開示】
【発明が解決しようとする課題】
【０００８】
ところで、バックライト装置において、発光素子が配置された基板上では行方向と列方向とで発光素子の配置間隔や配置数が異なるため、行方向及び列方向の端部の発光素子と側板との間の距離が互いに等しい場合には、行方向における端部の輝度と列方向における端部の輝度が異なってしまうという課題がある。特に、側板に反射材が設けられた場合には、行方向と列方向との間における発光素子の配置間隔の差や配置数の差に応じて、バックライト装置における行方向における端部の輝度と列方向における端部の輝度の差はより大きくなる。この点について、特許文献１には何ら記載されていない。
【０００９】
本発明は、以上の点に鑑みてなされたものであり、輝度を低下させることなく、輝度の均一化及を図ることが可能なであり、光源からの光を有効に利用することによって、低消費電力でありながら、明るい直下型の照明装置及びそれを用いた電気光学装置並びに電子機器を提供することを課題とする。
【課題を解決するための手段】
【００１０】
本発明の１つの観点では、照明装置は、平面的に配列された複数の光源と、前記複数の光源からの光を反射する複数の側板と、を備え、前記複数の光源は、第１の方向に沿って配置されてなる複数の第１の光源と、前記第１の方向と交差する第２の方向に沿って配置されてなる複数の第２の光源と、を含み、前記複数の側板は、前記第１の方向に沿って配置される第１の側板と、前記第２の方向に沿って配置される第２の側板と、を含み、前記第２の側板と、前記第１の光源のうち前記第２の側板に隣接する１の光源との間の第１の距離は、前記第１の側板と前記第２の光源のうち前記第１の側板に隣接する１の光源との間の第２の距離と異なる。
【００１１】
上記の照明装置は、いわゆる直下型の照明装置であり、平面的に配列された複数の光源と、前記複数の光源からの光を反射する複数の側板と、を備え、前記複数の光源は、第１の方向に沿って配置されてなる複数の第１の光源と、前記第１の方向と交差する第２の方向に沿って配置されてなる複数の第２の光源と、を含む。前記複数の側板は、第１の側板と第２の側板とを含む。ここで、前記第２の側板と、前記第１の光源のうち前記第２の側板に隣接する１の光源との間の第１の距離は、前記第１の側板と前記第２の光源のうち前記第１の側板に隣接する１の光源との間の第２の距離と異なる。光源としては、例えば発光ダイオードが挙げられる。これにより、側板における光の反射による輝度の上昇量を、第１の方向と第２の方向とで異ならせることができ、輝度の均一化を図ることが可能となるとともに、光源からの光のうち側板に反射する光を効率よく利用することで、低消費電力でありながら輝度の向上を図ることも可能となる。
【００１２】
上記の照明装置の他の一態様では、前記第１の光源は、前記第１の方向に沿って第１の間隔で配置されるとともに、前記第２の光源は、前記第２の方向に沿って前記第１の方向の配置間隔よりも短い第２の間隔で配置され、前記第１の距離は、前記第２の距離よりも短い。これにより、第１の方向と第２の方向とで配列間隔が異なる場合において、輝度の均一化を図ることができる。
【００１３】
上記の照明装置の好適な実施例では、前記第１の光源及び前記第２の光源は、前記第１及び第２の方向に沿ってそれぞれの端部に向かうほど配置間隔が短くなるように配置されるとともに、前記第２の方向の最短の配置間隔は、前記第１の方向の最短の配置間隔よりも短い間隔に設定され、前記第１の距離は、前記第２の距離よりも短い。
【００１４】
上記の照明装置の他の一態様は、前記第１の光源は、前記第１の方向に沿って等間隔に配置されるとともに、前記第２の光源は、前記第２の方向に沿って前記第１の方向の配置間隔と同じ間隔で等間隔に配置されており、前記第１の方向における光源の配列数が、前記第２の方向における光源の配列数よりも多くなるように配置され、前記第２の距離は、前記第１の距離よりも短い。これにより、第１の方向と第２の方向とで配列間隔が等しい場合であっても、輝度の均一化を図ることができる。
【００１５】
本発明の他の観点では、一対の基板間に電気光学層を挟持してなる電気光学パネルと、電気光学パネルの一方の面側に配置された上記の何れかの照明装置と、を備える電気光学装置を構成することができる。これによれば、高い輝度が得られ、且つ輝度の均一化及び薄型化が図れる電気光学装置を構成することができる。
【００１６】
本発明の更に他の観点では、上記の電気光学装置を表示部として備える電子機器を構成することができる。
【発明を実施するための最良の形態】
【００１７】
以下、図面を参照して本発明を実施するための最良の形態について説明する。
【００１８】
[液晶装置の構成]
まず、図１を参照して、本発明の各実施形態に係る照明装置を備える、電気光学装置の一例としての液晶装置１００の構成について説明する。
【００１９】
図１は、各実施形態に係る照明装置５１〜５１ｃを備える液晶装置１００の概略構成を示す断面図である。
【００２０】
液晶装置１００は、液晶表示パネル５０と、液晶表示パネル５０の観察側とは逆側に配置され、液晶表示パネル５０を照明する直下型の照明装置５１〜５１ｃと、を備える。
【００２１】
液晶表示パネル５０は、第１の基板１と第２の基板２とを枠状のシール材３を介して貼り合わせ、シール材３で区画される領域内に、電気光学層の一例としての液晶層４を狭持して構成される。液晶表示パネル５０の液晶層４側の面上には、例えば、ブラックマトリックス、カラーフィルタ、電極その他の多くの構成要素がマトリクス状（格子状）又はストライプ状（線状）に形成されるが、図１ではそれらの要素の図示を省略している。そして、液晶表示パネル５０におけるシール材３の内側には、画像を表示するための表示領域が形成される。なお、本発明では、液晶表示パネル５０は、特定の構成に限定されず、周知の種々の構成を採り得る。
【００２２】
照明装置５１〜５１ｃは、支持部材（筐体）１１と、光学ユニット１２と、拡散板（拡散部材）１８と、光学シート１９と、を備える。
【００２３】
支持部材１１は、板状の形状を有する底板１１ａと、底板１１ａの外周部から外側に且つ拡散板１８に向けて斜め方向に延在する側板１１ｂと、を有する。支持部材１１の底板１１ａの面上には、即ち、底板１１ａの液晶表示パネル５０側の面上には、光学ユニット１２が配置される。側板１１ｂは、拡散板１８と光源１４との間に一定の間隔を形成した状態で、拡散板１８及び光学シート１９を支持する。なお、以下に述べる各実施形態では、支持部材１１を構成する要素のうち、少なくとも側板１１ｂは、アルミニウムや銀などの反射性を有する素材にて形成される。これにより、各光源１４から出射された光Ｌのうち、拡散板１８側に出射されない一部の光を拡散板１８に戻す（反射させる）ことができ、光の利用効率を高めることができる。
【００２４】
光学ユニット１２は、基材の一例としての基板（プリント基板）１３と、発光ダイオードなどに代表される複数の光源１４と、を有する。基板１３は、複数の光源１４に電力を供給する媒体としての役割を有する。光源１４は、例えば、基板１３の液晶表示パネル５０側の面（以下、「光源配置面」と称する）１３ａに対して分散して配置される。好適な例では、光源１４は、輝度の均一性を確保するため、基板１３の光源配置面１３ａに対して行列状に配置される。これにより、複数の光源１４は、拡散板１８に向けて光Ｌを照射することができる。
【００２５】
拡散板１８は、各光源１４より出射された光Ｌを光学シート１９（例えば、拡散シートやプリズムシートなど）に向けて拡散させる役割を有する。拡散板１８としては、例えば、白色部材や表面に凹凸が形成された部材などが挙げられる。拡散板１８は、支持部材１１の側板１１ｂの外周部に支持されている。このため、拡散板１８と各光源１４との間には一定の間隔を有する空間Ｅが形成されている。このように、拡散板１８と各光源１４との間に一定の間隔を形成している理由は、各光源１４から出射された指向性を有する光Ｌを液晶表示パネル５０側へより拡散させるようにするためである。
【００２６】
なお、本発明では、拡散板１８は、板状のものに限らず、シート状のもの、即ち拡散シートであってもよい。
【００２７】
光学シート１９には、例えば拡散シートやプリズムシートなどが含まれる。光学シート１９は、用途に応じて少なくとも１つ（本例では２つ）設けられ、拡散板１８の液晶表示パネル５０側に配置される。
【００２８】
なお、本発明では、光学シート１９のうち、拡散シートは拡散板１８に対して空気層を介して重ね合わせて配置されることで光の均一性を向上するものであり、プリズムシートは、拡散板１８等により拡散された光を特定の方向に集光するためのものである。
【００２９】
以上の構成を有する液晶装置１００では、複数の光源１４から出射された光Ｌは、図１の破線矢印に示すように、拡散板１８及び光学拡散シート１９を通過することで拡散し、その拡散した光Ｌは、液晶表示パネル５０の表示領域に向けて照射される。この際、液晶表示パネル５０において液晶層４の液晶分子の配向が制御されて、所望の表示画像が観察者によって視認される。
【００３０】
［第１実施形態］
次に、図２を参照して、第１実施形態に係る照明装置５１について説明する。
【００３１】
図２は、第１実施形態に係る照明装置５１の光学ユニット１２及び支持部材１１の構成示す平面図である。図２に示す例では、複数の光源１４が光源配置面１３ａに対して行列状に配置される。具体的には、複数の光源１４は、行方向に沿って配置間隔ｌａで等間隔に配置される光源と、列方向に沿って配置間隔ｌｂで等間隔に配置される光源とより構成される。なお、図２に示す例では、行方向の端部の光源１４と側板１１ｂとの間の距離（行方向の光源−側板間隔）をｒａとして示し、列方向の端部の光源１４と側板１１ｂとの間の距離（列方向の光源−側板間隔）をｒｂとして示している。
【００３２】
照明装置５１から照射される光は、互いに近傍にある複数の光源１４から出射された光Ｌが拡散して互いに混じりあったものである。従って、隣接する光源１４の配置間隔を短くする方が、各光源１４から出射される光Ｌが拡散して混じり合う範囲を拡げることができ、光源１４の隣接方向における照明装置５１の輝度を高めることができる。図２に示す例では、行方向の光源１４の配置間隔ｌａよりも列方向の光源１４の配置間隔ｌｂの方が短くなるように設定されている。そのため、照明装置５１の輝度としては、行方向と列方向とで輝度が異なる恐れがある。具体的には、行方向の輝度の方が列方向の輝度よりも低くなる恐れがある。
【００３３】
このように照明装置の行方向における端部の輝度と列方向における端部の輝度とで輝度が異なるのを防ぐため、第１実施形態に係る照明装置５１では、行方向及び列方向の光源−側板間隔について、光源１４の配置間隔が短い側の方向の光源−側板間隔よりも、光源１４の配置間隔が長い側の方向の光源−側板間隔を短く設定することとする。以下に具体的に説明する。
【００３４】
各光源１４から出射された光Ｌの一部は、側板１１ｂに反射することによっても拡散板１８側に出射することが可能である。側板１１ｂと各光源１４との間の距離が短くなればなるほど、側板１１ｂは、各光源１４から出射された光をより多く反射することができ、反射による輝度の上昇量を大きくすることができる。従って、行方向の光源−側板間隔ｒａを短くすれば、照明装置５１の行方向の輝度を高めることができ、列方向の光源−側板間隔ｒｂを短くすれば、照明装置５１の列方向の輝度を高めることができる。従って、行方向の光源−側板間隔ｒａと列方向の光源−側板間隔ｒｂとを異ならせれば、側板１１ｂにおける光の反射による輝度の上昇量を、列方向と行方向とで異ならせることができ、照明装置５１の輝度の均一化を図ることができる。
【００３５】
例えば、図２に示す例では、先にも述べたように、行方向の光源１４の配置間隔ｌａよりも列方向の光源１４の配置間隔ｌｂの方が短くなるように設定されているため、照明装置５１の輝度としては、行方向における端部の輝度の方が列方向における端部の輝度よりも低くなる。そこで、この場合には、列方向の光源−側板間隔ｒｂよりも行方向の光源−側板間隔ｒａを短くすることとする。このようにすることで、側板１１ｂにおける光の反射による輝度の上昇量について、列方向の輝度の上昇量よりも行方向の輝度の上昇量を大きくすることができ、その結果として、列方向の輝度と行方向の輝度とを等しくすることができる。
【００３６】
以上に述べたことから分かるように、第１実施形態に係る照明装置５１では、行方向と列方向とで光源１４の配置間隔が異なっている場合において、光源１４の配置間隔が短い側の方向の光源−側板間隔よりも、光源１４の配置間隔が長い側の方向の光源−側板間隔を短くすることとする。このようにすることで、側板１１ｂにおける光の反射による輝度の上昇量について、光源１４の配置間隔が短い側の方向の輝度の上昇量よりも、光源１４の配置間隔が長い側の方向の輝度の上昇量を大きくすることができる。これにより、列方向の輝度と行方向の輝度とを等しくすることができ、照明装置の輝度の均一化を図ることができる。
【００３７】
（第１実施形態の変形例）
次に、第１実施形態の変形例について説明する。図３は、第１実施形態の変形例に係る照明装置５１の光学ユニット１２及び支持部材１１の構成示す平面図である。
【００３８】
先にも述べたように、照明装置から照射される光は、互いに近傍にある複数の光源から出射された光が拡散して互いに混じりあったものである。これによれば、光源１４が図２に示したような配置をとる場合には、行方向及び列方向のそれぞれの端部ほど、単位面積（光が拡散して互いに混じりあうことが可能な範囲の面積）当たりの光源１４の数が少なくなり、輝度が低くなる恐れがある。
【００３９】
そこで、第１実施形態の変形例に係る照明装置５１ａでは、複数の光源１４は、行方向及び列方向に沿ってそれぞれの端部ほど配置間隔が小さくなるように配置される。具体的には、図３に示すように、行方向の端部から行方向の中央部にかけての光源１４の配置間隔をｌａ１、ｌａ２、ｌａ３とすると、ｌａ３＞ｌａ２＞ｌａ１の関係が成立するように光源１４は配置される。また、列方向の端部から列方向の中央部にかけての光源１４の配置間隔をｌｂ１、ｌｂ２、ｌｂ３とすると、ｌｂ３＞ｌｂ２＞ｌｂ１の関係が成立するように光源１４は配置される。これにより、行方向及び列方向のそれぞれの端部に向かって、単位面積当たりの光源１４の数を略一定に保持することができ、照明装置５１の輝度の均一性を向上させることができる。
【００４０】
しかしながら、第１実施形態の変形例に係る照明装置５１ａによっても、図２に示す照明装置５１と同様、行方向の光源１４の配置間隔よりも列方向の光源１４の配置間隔の方が短くなっている。具体的には、図３に示す例でいうと、ｌａ１＞ｌｂ１、ｌａ２＞ｌｂ２、ｌａ３＞ｌｂ３がそれぞれ成立している。そのため、照明装置５１ａの輝度としては、行方向における端部の輝度の方が列方向における端部の輝度よりも低くなる恐れがある。つまり、照明装置５１ａの行方向における端部の輝度と列方向における端部の輝度とで輝度が異なる恐れがある。
【００４１】
そこで、第１実施形態の変形例に係る照明装置５１ａにおいても、行方向及び列方向の光源−側板間隔について、光源１４の最短の配置間隔が短い側の方向の光源−側板間隔よりも、光源１４の最短の配置間隔が長い側の方向の光源−側板間隔を短くすることとする。例えば、図３に示す例でいうと、行方向における光源１４の最短の配置間隔ｌａ１は、列方向における光源１４の最短の配置間隔ｌｂ１よりも長くなっている。従って、この場合には、列方向の光源−側板間隔ｒｂよりも行方向の光源−側板間隔ｒａを短くすることとする。ここで、行方向及び列方向の光源１４の最短の配置間隔に応じて、行方向及び列方向の光源−側板間隔を決めるとした理由は、側板１１ｂにより反射される光の輝度は、側板１１ｂの近傍に位置する光源１４から側板１１ｂに到達した光量、即ち、行方向及び列方向の端部の光源１４から側板１１ｂに到達した光量に最も大きな影響を受けるからである。このようにしても、側板１１ｂにおける光の反射による輝度の上昇量について、列方向の輝度の上昇量よりも行方向の輝度の上昇量を大きくして、列方向の輝度と行方向の輝度とを等しくすることができ、照明装置５１ａの輝度の均一化を図ることができる。
【００４２】
［第２実施形態］
次に、図４を参照して、第２実施形態に係る照明装置５１ｂについて説明する。
【００４３】
図４は、第２実施形態に係る照明装置５１ｂの光学ユニット１２及び支持部材１１の構成示す平面図である。図４に示す照明装置５１ｂにおいても、複数の光源１４が光源配置面１３ａに対して行列状に配置される。ただし、第１実施形態に係る照明装置５１では、複数の光源１４は、行方向及び列方向について異なる配置間隔で配置されたのに対し、第２実施形態に係る照明装置５１ｂでは、複数の光源１４は、行方向及び列方向の双方について同じ配置間隔で配置される。例えば、図４に示すように、第２実施形態に係る照明装置５１ｂでは、複数の光源１４は、複数の光源１４は、行方向に沿って配置間隔ｌｃで等間隔に配置される光源と、列方向に沿って配置間隔ｌｃで等間隔に配置される光源とより構成される。なお、図４に示す例においても、行方向の光源−側板間隔をｒａとして示し、列方向の光源−側板間隔をｒｂとして示している。
【００４４】
図４に示す照明装置５１ｂでは、図２に示した照明装置５１と異なり、列方向の光源１４の配置間隔と行方向の光源１４の配置間隔とは、どちらもｌｃであり等しくなっている。しかしながら、図４に示す照明装置５１ｂでは、列方向の光源１４の配列数Ｎよりも行方向の光源１４の配列数Ｍの方が多くなるように配置されるため、照明装置５１ｂの輝度としては、列方向における端部の輝度の方が行方向における端部の輝度よりも低くなる恐れがある。
【００４５】
そこで、第２実施形態に係る照明装置５１ｂでは、行方向及び列方向の光源−側板間隔について、光源１４の配置数が多い側の方向の光源−側板間隔よりも、光源１４の配置数が少ない側の方向の光源−側板間隔を短く設定することとする。例えば、図４に示す例では、列方向の光源１４の配列数Ｎよりも行方向の光源１４の配列数Ｍの方が多くなるように配置されているので、この場合には、行方向の光源−側板間隔ｒａよりも列方向の光源−測板間隔ｒｂを短くすることとする。このようにすることで、側板１１ｂにおける光の反射による輝度の上昇量について、行方向の輝度の上昇量よりも列方向の輝度の上昇量を大きくすることができ、列方向の輝度と行方向の輝度とを均一に近づけることができる。
【００４６】
以上に述べたことから分かるように、第２実施形態に係る照明装置５１ｂでは、行方向と列方向とで光源１４の配置間隔が等しい場合において、行方向及び列方向の光源−側板間隔について、光源１４の配置数が多い側の方向の光源−側板間隔よりも、光源１４の配置数が少ない側の方向の光源−側板間隔を短く設定することとする。このようにすることで、側板１１ｂにおける光の反射による輝度の上昇量について、光源１４の配列数が多い側の方向の輝度の上昇量よりも、光源１４の配列数が少ない側の方向の輝度の上昇量を大きくすることができる。これにより、列方向における端部の輝度と行方向における端部の輝度とを等しくすることができ、照明装置５１ｂの輝度の均一化を図ることができる。
【００４７】
（第２実施形態の変形例）
次に、第２実施形態の変形例について説明する。図５は、第２実施形態の変形例に係る照明装置５１ｃの光学ユニット１２及び支持部材１１の構成示す平面図である。
【００４８】
第２実施形態の変形例に係る照明装置５１ｃでは、図５に示すように、光源配置面１３ａに対して互いに隣接する複数列の光源１４が千鳥状に配置される。具体的には、複数の光源１４は、行方向の光源１４の配置間隔、列方向に千鳥状に隣接する光源１４の配置間隔、のいずれについてもｌｃとなるように配置されている。なお、図５に示すように、複数列の光源１４が千鳥状に配置されるため、行方向の光源−側板間隔は交互に変化する。この交互に変化する行方向の光源−側板間隔をｒａ１、ｒａ２（＞ｒａ１）として示し、列方向の光源−側板間隔をｒｂとして示すこととする。
【００４９】
図５に示す例であっても、列方向の光源１４の配列数Ｎよりも行方向の光源１４の配列数Ｍの方が多くなるように配置された場合には、照明装置５１ｃの輝度としては、列方向における端部の輝度の方が行方向における端部の輝度よりも低くなる恐れがある。そこで、この場合においても、光源１４の配置数が多い側の方向の光源−側板間隔よりも、光源１４の配置数が少ない側の方向の光源−側板間隔を短く設定することとする。具体的には、行方向の光源−側板間隔ｒａ１及びｒａ２よりも列方向の光源測板間隔ｒｂを短くする。これにより、第２実施形態の変形例に係る照明装置５１ｃであっても、側板１１ｂにおける光の反射による輝度の上昇量について、行方向の輝度の上昇量よりも列方向の輝度の上昇量を大きくすることができる。これにより、列方向における端部の輝度と行方向における端部の輝度とを等しくすることができ、照明装置５１ｃの輝度の均一化を図ることができる。
【００５０】
その他、本発明では、光源１４や拡散部材１５の形状、数などに限定はない。また、本発明では、電気光学装置の一例としての表示装置は、液晶装置に限定されず、有機エレクトロルミネッセンス表示装置、プラズマディスプレイ装置、及びフィールドエミッション表示装置などに適用してもよい。
【００５１】
[電子機器]
次に、上記した各実施形態に係る照明装置５１〜５１ｃのうちの何れかの照明装置を備える液晶装置（以下、代表して「液晶装置１０００」と称する）を備える電子機器の具体例について図６を参照して説明する。
【００５２】
まず、本発明に係る液晶装置１０００を、可搬型のパーソナルコンピュータ（いわゆるノート型パソコン）の表示部に適用した例について説明する。図６（ａ）は、このパーソナルコンピュータの構成を示す斜視図である。同図に示すように、パーソナルコンピュータ７１０は、キーボード７１１を備えた本体部７１２と、本発明に係る液晶装置１０００を適用した表示部７１３とを備えている。
【００５３】
続いて、本発明に係る液晶装置１０００を、携帯電話機の表示部に適用した例について説明する。図６（ｂ）は、この携帯電話機の構成を示す斜視図である。同図に示すように、携帯電話機７２０は、複数の操作ボタン７２１のほか、受話口７２２、送話口７２３とともに、本発明に係る液晶装置１０００を適用した表示部７２４を備える。
【００５４】
なお、本発明に係る液晶装置１０００を適用可能な電子機器としては、図６（ａ）に示したパーソナルコンピュータや図６（ｂ）に示した携帯電話機の他にも、液晶テレビ、ビューファインダ型・モニタ直視型のビデオテープレコーダ、カーナビゲーション装置、ページャ、電子手帳、電卓、ワードプロセッサ、ワークステーション、テレビ電話、ＰＯＳ端末、ディジタルスチルカメラなどが挙げられる。
【図面の簡単な説明】
【００５５】
【図１】本発明の各実施形態に係る照明装置を備える液晶装置の構成を示す断面図。
【図２】第１実施形態の照明装置の各構成要素の構成を示す平面図。
【図３】第１実施形態の変形例に係る照明装置の各構成要素の構成を示す平面図。
【図４】第２実施形態の照明装置の各構成要素の構成を示す平面図。
【図５】第２実施形態の変形例に係る照明装置の各構成要素の構成を示す平面図。
【図６】本発明の照明装置を有する液晶装置を備える電子機器の斜視図。
【符号の説明】
【００５６】
１２  光学ユニット、  １３  基板（基材）、  １４  光源、  １８  拡散板（拡散部材）、  １９  光学シート（拡散シート、プリズムシート）、  ５０  液晶表示パネル、  ５１、５１ａ、５１ｂ、５１ｃ  照明装置、  １００  液晶装置（電気光学装置）
【図１】
2010040409.tif 000003
【図２】
2010040409.tif 000004
【図３】
2010040409.tif 000005
【図４】
2010040409.tif 000006
【図５】
2010040409.tif 000007
【図６】
2010040409.tif 000008